(57)【要約】【課題】連続紙の幅方向における各頁のファンアウト量が異なる場合においても、先刷りと後刷りの印刷画線の不整合を防止することが可能なタワー型印刷装置及びオフセット輪転印刷機を提供する。【解決手段】連続紙Ｗの走行方向に沿って複数の印刷ユニットＰ１〜Ｐ４が配設され、複数の印刷ユニットＰ１〜Ｐ４により連続紙Ｗに重ね刷りを行うよう構成されたタワー型印刷装置１であって、連続紙Ｗの走行方向の最も上流側に配置された印刷ユニットＰ１の上流側に、連続紙Ｗの幅方向の一部を押圧して該連続紙Ｗの一部を波状にすることで、該連続紙Ｗの一部の幅を調整することが可能な上流側幅調整装置２０が設けられる。【選択図】図１
2016203506.tif 000002
【特許請求の範囲】
【請求項１】
連続紙の走行方向に沿って複数の印刷ユニットが配設され、前記複数の印刷ユニットにより連続紙に重ね刷りを行うよう構成されたタワー型印刷装置であって、
連続紙の走行方向の最も上流側に配置された印刷ユニットの上流側に、連続紙の幅方向の一部を押圧して該連続紙の一部を波状にすることで、該連続紙の一部の幅を調整することが可能な上流側幅調整装置が設けられる
ことを特徴とするタワー型印刷装置。
【請求項２】
請求項１に記載のタワー型印刷装置であって、
前記上流側幅調整装置は、連続紙の走行方向と直交かつ連続紙の紙面と平行に設けられた支持軸と、前記支持軸上に所定の間隔をおいて取り付けられた複数の押付け部材とを備え、
前記複数の押付け部材は、連続紙の幅方向の一部を押圧するよう、前記支持軸の軸方向の一部に取り付けられている
ことを特徴とするタワー型印刷装置。
【請求項３】
請求項２に記載のタワー型印刷装置であって、
前記上流側幅調整装置は、前記支持軸上に軸方向に沿って移動可能に取り付けられたスリーブ部材を更に備え、
前記スリーブ部材は、連続紙の幅方向の長さよりも短い軸方向の長さを有し、
前記複数の押付け部材は、前記スリーブ部材を介して、前記支持軸上に取り付けられている
ことを特徴とするタワー型印刷装置。
【請求項４】
請求項１〜３いずれか１項に記載のタワー型印刷装置を備える
ことを特徴とするオフセット輪転印刷機。
【発明の詳細な説明】
【技術分野】
【０００１】
本発明は、連続紙の幅を調整するための幅調整装置を備えるタワー型印刷装置及びオフセット輪転印刷機に関するものである。
【背景技術】
【０００２】
従来、オフセット輪転印刷機として、例えば図６に示すように、それぞれ異なる色の印刷が可能な印刷ユニットＰ１〜Ｐ４が上下方向（縦方向）に並べて複数配置されたタワー型の印刷装置ＴＰを備えるものが知られている（特許文献１）。このタワー型印刷装置ＴＰにおいて、各印刷ユニットＰ１〜Ｐ４は、多数のインキ供給ローラーを有するインキ供給装置１０２と、湿し水を供給する湿し水供給装置１０４と、刷版が装着される版胴１０６と、ブランケットが装着されるブランケット胴１０８とを備えている。これら各印刷ユニットＰ１〜Ｐ４に用いられる刷版には、親油性の印刷画線部と、親水性の非画線部とが設けられており、親水性の非画線部に湿し水供給装置１０４から湿し水が供給された状態でインキ供給装置１０２からインキが供給されることにより、親油性の印刷画線部のみにインキが塗布されるよう構成されている。そして、これら印刷ユニットＰ１〜Ｐ４は、インキ供給装置１０２から供給されたインキが版胴１０６を介してブランケット胴１０８に供給され、ブランケット胴１０８が走行する連続紙（被印刷体）Ｗと所定の圧力で接触することにより、連続紙Ｗに刷版の内容（文字や画像等）が転写されるよう、すなわち、連続紙Ｗにオフセット印刷（平版印刷）が施されるよう構成されている。
【０００３】
従来の印刷ユニットＰ１〜Ｐ４は、上述のように、湿し水を用いて印刷を行うものであるため、連続紙Ｗのパルプ繊維が湿し水を吸収して膨張することで、連続紙Ｗが幅方向に拡大（伸長）する現象（ファンアウト）が生じるという問題がある。そして、このようなファンアウトは、下方側（上流側）の印刷ユニットで刷った印刷画線と上方側（下流側）の印刷ユニットで刷った印刷画線との間に位置ズレ等の印刷不良を引き起こすおそれがある。
【０００４】
そこで、従来のタワー型印刷装置ＴＰでは、図６に示すように、各印刷ユニットＰ１〜Ｐ４の間、すなわち、最下段の印刷ユニットＰ１と２段目の印刷ユニットＰ２との間、２段目の印刷ユニットＰ２と３段目の印刷ユニットＰ３との間、及び、３段目の印刷ユニットＰ３と最上段の印刷ユニットＰ４との間に、それぞれ、連続紙Ｗの幅方向の長さを調整するための幅調整装置１００が配置されている。幅調整装置１００は、それぞれ、連続紙Ｗを挟んで千鳥状に対向配置された複数の押付け部材を連続紙Ｗの幅方向全域に亘って押付けることによって、連続紙Ｗに波打ちを発生させることで、次段の印刷ユニットに前段で刷られた連続紙Ｗの印刷画線が到達する前に、ファンアウトによって幅方向に伸長した連続紙Ｗの幅方向の長さを元の幅方向の長さに修正するよう構成されている。
【先行技術文献】
【特許文献】
【０００５】
【特許文献１】特開２００４−３５１７９号公報
【発明の概要】
【発明が解決しようとする課題】
【０００６】
ところで、図６に示すようなタワー型印刷装置ＴＰによって新聞を印刷する場合、連続紙Ｗの両面には、図７に示すように、４頁分の印刷面（Ａ面〜Ｄ面）を幅方向に並べて印刷することが通常であり、これらＡ面〜Ｄ面には、異なる内容（文字や画像等）が印刷されることが通常である。なお、以下の説明では、説明を容易にするために、連続紙Ｗの一方の面（表面）における４頁分の印刷面と、連続紙Ｗの他方の面（裏面）における４頁分の印刷面とを区別せずにＡ面〜Ｄ面と称呼するが、実際には、連続紙Ｗの一方の面のＡ面〜Ｄ面と、連続紙Ｗの他方の面のＡ面〜Ｄ面には、異なる内容が印刷される。
【０００７】
そして、このようにＡ面〜Ｄ面に異なる内容（文字や画像等）が印刷される場合には、Ａ面〜Ｄ面の各面における印刷画線部と非画線部の面積の割合がそれぞれ異なることから、刷版の非画線部を介して連続紙Ｗに付与される湿し水の量が連続紙Ｗの各面において異なるため、各面におけるファンアウト量が異なることとなる。このため、例えば一つの頁（例えばＣ面）に、他の頁（例えばＡ面、Ｂ面及びＤ面）よりも画線面積が大きい印刷内容、例えば全面広告等の大きな絵柄が印刷される場合には、Ｃ面部分の湿し水の量がＡ面、Ｂ面及びＤ面部分の湿し水の量よりも少なくなることから、Ｃ面部分のファンアウト量もＡ面、Ｂ面及びＤ面部分のファンアウト量よりも少なくなることとなる。
【０００８】
したがって、従来のタワー型印刷装置ＴＰにおいて、連続紙Ｗの幅方向全域に亘って均等に押付け部材を押付ける従来の幅調整装置を使用して、Ａ面、Ｂ面及びＤ面の先刷りと後刷りの印刷画線の不整合を防止するよう押付け部材の押付け量を調整すると、Ｃ面部分の先刷りの絵柄がファンアウト量以上に幅方向に縮められてしまうため、後刷りの絵柄よりも先刷りの絵柄の方が小さくなるという問題がある。このため、従来のタワー型印刷装置ＴＰでは、依然として、先刷りの印刷画線と後刷りの印刷画線との間に位置ズレ等の印刷不良が生じるおそれがあるという問題がある。
【０００９】
本発明は、上述した従来技術の問題点に鑑みてなされたものであり、その目的は、連続紙の幅方向における各頁のファンアウト量が異なる場合においても、先刷りと後刷りの印刷画線の不整合を防止することが可能なタワー型印刷装置及びオフセット輪転印刷機を提供することにある。
【課題を解決するための手段】
【００１０】
本発明に係るタワー型印刷装置は、連続紙の走行方向に沿って複数の印刷ユニットが配設され、前記複数の印刷ユニットにより連続紙に重ね刷りを行うよう構成されたタワー型印刷装置であって、連続紙の走行方向の最も上流側に配置された印刷ユニットの上流側に、連続紙の幅方向の一部を押圧して該連続紙の一部を波状にすることで、該連続紙の一部の幅を調整することが可能な上流側幅調整装置が設けられることを特徴とする。
【００１１】
本発明に係るタワー型印刷装置において、前記上流側幅調整装置は、連続紙の走行方向と直交かつ連続紙の紙面と平行に設けられた支持軸と、前記支持軸上に所定の間隔をおいて取り付けられた複数の押付け部材とを備えることが好ましく、前記複数の押付け部材は、連続紙の幅方向の一部を押圧するよう、前記支持軸の軸方向の一部に取り付けられることが好ましい。
【００１２】
このようなタワー型印刷装置において、前記上流側幅調整装置は、前記支持軸上に軸方向に沿って移動可能に取り付けられたスリーブ部材を更に備え、前記スリーブ部材は、連続紙の幅方向の長さよりも短い軸方向の長さを有し、前記複数の押付け部材は、前記スリーブ部材を介して、前記支持軸上に取り付けられるとしても良い。
【００１３】
本発明に係るオフセット輪転印刷機は、上述したタワー型印刷装置を備えることを特徴とする。
【発明の効果】
【００１４】
本発明によれば、連続紙の幅方向における各頁のファンアウト量が異なる場合においても、先刷りと後刷りの印刷画線の不整合を防止することが可能なタワー型印刷装置及びオフセット輪転印刷機を提供することができる。
【図面の簡単な説明】
【００１５】
【図１】本発明の第１実施形態に係るタワー型印刷装置の概略構成を示す図である。
【図２】第１実施形態に係る印刷ユニット間幅調整装置の概略構成を示す図である。
【図３】第１実施形態に係る上流側幅調整装置の概略構成を示す図である。
【図４】第２実施形態に係る上流側幅調整装置の概略構成を示す図である。
【図５】第３実施形態に係る上流側幅調整装置の概略構成を示す図である。
【図６】従来のタワー型印刷装置の概略構成を示す図である。
【図７】連続紙に幅方向に並べて印刷される印刷面の例を示す図である。
【発明を実施するための形態】
【００１６】
以下、本発明を実施するための好適な実施形態について、図面を用いて説明する。なお、以下の実施形態は、各請求項に係る発明を限定するものではなく、また、実施形態の中で説明されている特徴の組み合わせの全てが発明の解決手段に必須であるとは限らない。
【００１７】
まず、本発明の第１実施形態に係るオフセット輪転印刷機について、図１〜図３を用いて説明する。第１実施形態に係るオフセット輪転印刷機は、連続紙（被印刷体）Ｗをロール状に巻いたロール紙をセットする一又は複数の連続紙供給ユニット（図示せず）と、連続紙供給ユニットから供給される連続紙の両面にオフセット４色カラー印刷を施す一又は複数のタワー型印刷装置１と、オフセット印刷後の連続紙を断裁して個々の枚葉状シートを形成すると共に、一枚の枚葉状シート又は複数の枚葉状シートからなる枚葉状シート群を折り畳んで折丁を形成する折機（図示せず）と、折機により形成された折丁を更に二つ折りする等の所定の処理を行い集積する後処理機構（図示せず）と、各構成の各種制御を実行する一又は複数の制御部（図示せず）とを備えている。なお、第１実施形態に係るオフセット輪転印刷機において、連続紙供給ユニット、折機、後処理機構及び制御部は、種々の公知のものを任意に用いることができるため、その説明を省略する。
【００１８】
タワー型印刷装置１は、図１に示すように、上下方向（連続紙Ｗの走行方向）に並べて配置された複数（第１実施形態では４つ）の印刷ユニットＰ１〜Ｐ４と、各印刷ユニットＰ１〜Ｐ４の間に配置された複数（第１実施形態では３つ）の印刷ユニット間幅調整装置１０Ａ〜１０Ｃと、最下段（連続紙Ｗの走行方向の最も上流側）に配置された印刷ユニットＰ１の上流側に配置された上流側幅調整装置２０とを備えている。このタワー型印刷装置１は、下方から上方に向かって走行する連続紙Ｗに対し、それぞれ異なる色（第１実施形態ではシアン、マゼンタ、イエロー、ブラック）の印刷が可能な印刷ユニットＰ１〜Ｐ４によって重ね刷りを行うことで、連続紙Ｗに両面カラー印刷（第１実施形態では両面４色印刷）を施すよう構成されている。
【００１９】
印刷ユニットＰ１〜Ｐ４は、図１に示すように、それぞれ、多数のインキ供給ローラーを有するインキ供給装置２と、湿し水を供給する湿し水供給装置４と、刷版が装着される版胴６と、ブランケットが装着されるブランケット胴８とを、連続紙Ｗを挟んでそれぞれ一対備えている。なお、第１実施形態に係るタワー型印刷装置１において、これらインキ供給装置２、湿し水供給装置４、版胴６及びブランケット胴８は、種々の公知のものを任意に用いることができるため、その説明を省略する。
【００２０】
最下段の印刷ユニットＰ１と２段目の印刷ユニットＰ２との間、２段目の印刷ユニットＰ２と３段目の印刷ユニットＰ３との間、及び、３段目の印刷ユニットＰ３と最上段の印刷ユニットＰ４との間には、図１に示すように、それぞれ、連続紙Ｗの幅方向全域に亘って波打ちを発生させ、連続紙Ｗの幅方向の長さを縮めるよう構成された印刷ユニット間幅調整装置１０Ａ〜１０Ｃが配置されている。
【００２１】
印刷ユニット間幅調整装置１０Ａ〜１０Ｃは、図２に示すように、連続紙Ｗの一方の面（表面）側に配置された表面側波打ち形成手段１２ａと、連続紙Ｗの他方の面（裏面）側に配置された裏面側波打ち形成手段１２ｂとを備えており、これら表面側波打ち形成手段１２ａと裏面側波打ち形成手段１２ｂにより、連続紙Ｗの幅方向全域に亘って波打ちを発生させるよう構成されている。
【００２２】
表面側波打ち形成手段１２ａは、図２に示すように、連続紙Ｗの走行方向と直交かつ連続紙Ｗの紙面と平行に設けられた支持軸１４ａと、支持軸１４ａ上に所定の間隔をおいて取り付けられた複数（第１実施形態では８つ）の押付け部材１６ａと、支持軸１４ａを連続紙Ｗの紙面に対して接近又は離間させることが可能な駆動手段（図示せず）とを備えている。また、裏面側波打ち形成手段１２ｂは、表面側波打ち形成手段１２ａと同様に、連続紙Ｗの走行方向と直交かつ連続紙Ｗの紙面と平行に設けられた支持軸１４ｂと、支持軸１４ｂ上に所定の間隔をおいて取り付けられた複数（第１実施形態では８つ）の押付け部材１６ｂと、支持軸１４ｂを連続紙Ｗの紙面に対して接近又は離間させることが可能な駆動手段（図示せず）とを備えている。なお、これら表面側波打ち形成手段１２ａ及び裏面側波打ち形成手段１２ｂの駆動手段は、例えば支持軸１４ａ，１４ｂの両端部に設けられた偏心カムを油圧式シリンダーや駆動モーター等によって回転させることで支持軸１４ａ，１４ｂを連続紙Ｗの紙面に対して接近又は離間させる構成等の種々の公知の構成を採用することができるため、その説明を省略する。
【００２３】
支持軸１４ａ，１４ｂは、図２に示すように、それぞれ、一対のフレームＦ，Ｆ間に架け渡された長尺な円柱部材であり、駆動手段により、連続紙Ｗの紙面に対して接近又は離間可能に構成されている。
【００２４】
押付け部材１６ａ，１６ｂは、それぞれ、支持軸１４ａ，１４ｂにベアリング（図示せず）を介して回転可能に取り付けられたコロ状の部材であり、支持軸１４ａ，１４ｂの軸方向に沿って、その取付け位置を調整可能に構成されている。これら表面側波打ち形成手段１２ａの押付け部材１６ａと裏面側波打ち形成手段１２ｂの押付け部材１６ｂは、図２に示すように、それぞれ、連続紙Ｗの幅方向全域、すなわち、連続紙Ｗに印刷される各印刷面の領域Ａ〜Ｄの全てに亘って、連続紙Ｗを挟んで千鳥状の配置となるよう、軸方向（連続紙Ｗの幅方向）の位置をずらして設けられている。
【００２５】
以上のような印刷ユニット間幅調整装置１０Ａ〜１０Ｃによれば、図２に示すように、連続紙Ｗを挟んで千鳥状に対向配置された複数の押付け部材１６ａ，１６ｂを連続紙Ｗの幅方向全域に亘って押付けることによって、連続紙Ｗの幅方向全域に亘って波打ちを発生させ、これにより、連続紙Ｗの幅方向の長さを縮めることが可能である。また、印刷ユニット間幅調整装置１０Ａ〜１０Ｃは、駆動手段によって支持軸１４ａ，１４ｂを連続紙Ｗの紙面に対して接近又は離間させ、押付け部材１６ａ，１６ｂによる押付け量を調整することにより、連続紙Ｗの幅方向の長さの縮小量を任意に調整することが可能である。そして、印刷ユニット間幅調整装置１０Ａ〜１０Ｃによれば、このように連続紙Ｗの幅方向の長さを任意に縮めることにより、次段の印刷ユニット（Ｐ２〜Ｐ４）に前段で刷られた連続紙Ｗの印刷画線が到達する前に、ファンアウトによって幅方向に伸長した連続紙Ｗの幅方向の長さを元の幅方向の長さに修正することが可能である。
【００２６】
上流側幅調整装置２０は、図３に示すように、連続紙Ｗの一方の面（表面）側に配置された表面側部分的波打ち形成手段２２ａと、連続紙Ｗの他方の面（裏面）側に配置された裏面側部分的波打ち形成手段２２ｂとを備えており、これら表面側部分的波打ち形成手段２２ａと裏面側部分的波打ち形成手段２２ｂにより、連続紙Ｗの幅方向の一部に局所的な波打ちを発生させるよう構成されている。
【００２７】
表面側部分的波打ち形成手段２２ａは、図３に示すように、連続紙Ｗの走行方向と直交かつ連続紙Ｗの紙面と平行に設けられた支持軸２４ａと、支持軸２４ａ上に軸方向に沿って移動可能に取り付けられたスリーブ部材２５ａと、スリーブ部材２５ａ上に所定の間隔をおいて取り付けられた複数（第１実施形態では２つ）の押付け部材２６ａと、スリーブ部材２５ａの移動範囲を規定するための一対のストッパー部材２７ａ，２８ａと、支持軸２４ａを連続紙Ｗの紙面に対して接近又は離間させることが可能な駆動手段（図示せず）とを備えている。また、裏面側部分的波打ち形成手段２２ｂは、連続紙Ｗの走行方向と直交かつ連続紙Ｗの紙面と平行に設けられた支持軸２４ｂと、支持軸２４ｂ上に軸方向に沿って移動可能に取り付けられたスリーブ部材２５ｂと、スリーブ部材２５ｂ上に所定の間隔をおいて取り付けられた複数（第１実施形態では３つ）の押付け部材２６ｂと、スリーブ部材２５ｂの移動範囲を規定するための一対のストッパー部材２７ｂ，２８ｂと、支持軸２４ｂを連続紙Ｗの紙面に対して接近又は離間させることが可能な駆動手段（図示せず）とを備えている。なお、これら表面側部分的波打ち形成手段２２ａ及び裏面側部分的波打ち形成手段２２ｂの駆動手段は、例えば支持軸２４ａ，２４ｂの両端部に設けられた偏心カムを油圧式シリンダーや駆動モーター等によって回転させることで支持軸２４ａ，２４ｂを連続紙Ｗの紙面に対して接近又は離間させる構成等の種々の公知の構成を採用することができるため、その説明を省略する。
【００２８】
支持軸２４ａ，２４ｂは、図３に示すように、それぞれ、一対のフレームＦ，Ｆ間に架け渡された長尺な円柱部材であり、駆動手段により、連続紙Ｗの紙面に対して接近又は離間可能に構成されている。
【００２９】
スリーブ部材２５ａ，２５ｂは、それぞれ、支持軸２４ａ，２４ｂと同軸となるよう支持軸２４ａ，２４ｂ上に設けられた円筒部材であり、支持軸２４ａ，２４ｂの軸方向に沿って移動可能で、かつ、適宜の固定手段により支持軸２４ａ，２４ｂの軸方向の任意の位置（第１実施形態では一対のストッパー部材２７ａ，２８ａ，２７ｂ，２８ｂ間の任意の位置）で固定可能に構成されている。このスリーブ部材２５ａ，２５ｂは、連続紙Ｗの幅方向の長さよりも短い軸方向の長さ、第１実施形態では、連続紙Ｗに印刷される４頁分の印刷面のうちの１頁分の印刷面に対応可能な軸方向の長さ、具体的には、１頁分の印刷面の幅方向の長さと略同一又はやや長い長さの軸方向の長さを有している。
【００３０】
押付け部材２６ａ，２６ｂは、それぞれ、スリーブ部材２５ａ，２５ｂにベアリング（図示せず）を介して回転可能に取り付けられたコロ状の部材であり、スリーブ部材２５ａ，２５ｂの軸方向に沿って、その取付け位置を調整可能に構成されている。表面側部分的波打ち形成手段２２ａの押付け部材２６ａと裏面側部分的波打ち形成手段２２ｂの押付け部材２６ｂは、図３に示すように、それぞれ、連続紙Ｗに印刷される４頁分の印刷面のうちの１頁分の印刷面の領域（図示の例では、領域Ｃ）において、連続紙Ｗを挟んで千鳥状の配置となるよう、軸方向（連続紙Ｗの幅方向）の位置をずらして設けられている。
【００３１】
一対のストッパー部材２７ａ，２８ａ，２７ｂ，２８ｂは、支持軸２４ａ，２４ｂの軸方向に所定の間隔をおいて支持軸２４ａ，２４ｂ上に固定されており、これら一対のストッパー部材２７ａ，２８ａ，２７ｂ，２８ｂ間においてスリーブ部材２５ａ，２５ｂの移動を許容するよう構成されている。第１実施形態において、これら一対のストッパー部材２７ａ，２８ａ，２７ｂ，２８ｂは、スリーブ部材２５ａ，２５ｂが、連続紙Ｗの幅方向の中央に位置する２頁分の印刷面の領域Ｂ，Ｃ内においてのみ移動可能となるよう、互いに離間して配置されている。
【００３２】
以上のような上流側幅調整装置２０によれば、図３に示すように、連続紙Ｗを挟んで千鳥状に対向配置された複数の押付け部材２６ａ，２６ｂを連続紙Ｗの幅方向の一部（第１実施形態では１頁分の印刷面）に押付けることによって、連続紙Ｗの幅方向の一部に局所的な波打ちを発生させ、これにより、連続紙Ｗの一部の幅を縮めることが可能である。また、上流側幅調整装置２０は、駆動手段によって支持軸２４ａ，２４ｂを連続紙Ｗの紙面に対して接近又は離間させ、押付け部材２６ａ，２６ｂによる押付け量を調整することにより、連続紙Ｗの幅方向の長さの縮小量を任意に調整することが可能である。
【００３３】
以上説明したとおり、第１実施形態に係るタワー型印刷装置１及びこれを備えるオフセット輪転印刷機は、連続紙Ｗの走行方向の最も上流側に配置された印刷ユニットＰ１の上流側に、連続紙Ｗの幅方向の一部を押圧して連続紙Ｗの一部を波状にすることで、連続紙Ｗの一部の幅を調整することが可能な上流側幅調整装置２０が設けられている。
【００３４】
このように構成された第１実施形態に係るタワー型印刷装置１及びこれを備えるオフセット輪転印刷機によれば、例えば、一つの頁（例えばＣ面）に、他の頁（例えばＡ面、Ｂ面及びＤ面）よりも画線面積が大きい全面広告等の大きな絵柄が印刷され、Ｃ面のファンアウト量とＡ面、Ｂ面及びＤ面のファンアウト量とが異なる場合であっても、連続紙Ｗが最も上流側の印刷ユニットＰ１に進入する前に、Ｃ面のファンアウト量とＡ面、Ｂ面及びＤ面のファンアウト量との差を考慮して、上流側幅調整装置２０によってＣ面部分のみの幅を事前に縮めておくことにより、Ａ面、Ｂ面及びＤ面だけでなく、Ｃ面部分における先刷りの絵柄と後刷りの絵柄とを精度よく重ね合わせることが可能となる。
【００３５】
すなわち、既述のとおり、図６に示す従来のタワー型印刷装置ＴＰでは、ファンアウト量が少ないＣ面が、印刷ユニットＰ１〜Ｐ４間の幅調整装置１００（印刷ユニット間幅調整装置）によって、相対的にファンアウト量が多いＡ面、Ｂ面及びＤ面と同様に幅方向に均一に縮小されてしまうため、Ａ面、Ｂ面及びＤ面部分の先刷りの画線と後刷りの画線とが整合するとしても、Ｃ面部分の先刷りの画線が後刷りの画線よりも小さくなり、Ｃ面部分におけるこれらの画線がずれてしまうという問題がある。これに対し、第１実施形態に係るタワー型印刷装置１及びこれを備えるオフセット輪転印刷機では、上流側幅調整装置２０が設けられることにより、従来の方法で印刷した場合に発生するＣ面部分の先刷りの画線と後刷りの画線とのずれ量に相当する分だけ、最も上流側の印刷ユニットＰ１に進入する前（すなわち、印刷ユニットＰ１で印刷が施される前）の連続紙ＷのＣ面部分の幅を事前に縮めることができる。そして、このように幅を縮めた状態のＣ面部分に最も上流側の印刷ユニットＰ１によって印刷を施すことで、この印刷ユニットＰ１の通過後に波打ちが解消されたＣ面部分に印刷された画線を、幅を縮めずに印刷ユニットＰ１によって印刷された場合の画線よりも上記ずれ量に相当する分だけ大きくすることができる。このため、第１実施形態に係るタワー型印刷装置１及びこれを備えるオフセット輪転印刷機によれば、Ｃ面部分における先刷りの絵柄と後刷りの絵柄とを精度よく重ね合わせることが可能となる。また、上流側幅調整装置２０によって幅が縮められる領域はＣ面部分のみであるため、Ａ面、Ｂ面及びＤ面部分については、印刷ユニット間幅調整装置１０Ａ〜１０Ｃによる通常のファンアウト修正により、先刷りの絵柄と後刷りの絵柄とを精度よく重ね合わせることが可能となる。なお、上記の説明では、説明を容易にするために、連続紙Ｗの一方の面（表面）における４頁分の印刷面と、連続紙Ｗの他方の面（裏面）における４頁分の印刷面とを区別せずにＡ面〜Ｄ面と称呼したが、実際には、連続紙Ｗの一方の面のＡ面〜Ｄ面と、連続紙Ｗの他方の面のＡ面〜Ｄ面には、異なる内容が印刷される。
【００３６】
また、第１実施形態に係るタワー型印刷装置１及びこれを備えるオフセット輪転印刷機は、従来のタワー型印刷装置ＴＰに上流側幅調整装置２０を追加するのみで製造することが可能である。このため、例えば上流側幅調整装置２０を既存のタワー型印刷装置に後付け可能な構成とすることにより、既存の設備を流用して、第１実施形態に係るタワー型印刷装置１及びこれを備えるオフセット輪転印刷機を製造することができるため、最小限のコストで、従来の課題を解決することができる。
【００３７】
以上、本発明の好適な実施形態について説明したが、本発明の技術的範囲は、上述した実施形態に記載の範囲には限定されない。上記各実施形態には、多様な変更又は改良を加えることが可能である。
【００３８】
例えば、上述した第１実施形態における説明では、タワー型印刷装置１が、４つの印刷ユニットＰ１〜Ｐ４を備えた両面４色印刷可能な印刷装置であるものとして説明したが、これに限定されるものではなく、２以上の印刷ユニットによって重ね刷りを行う印刷装置であれば、例えば２段の印刷ユニットを備えるタワー型印刷装置等の種々の印刷装置としても良い。また、タワー型印刷装置１が複数設置される場合には、４段の印刷ユニットを備えるタワー型印刷装置と、２段の印刷ユニットを備えるタワー型印刷装置とが混在しても良い。
【００３９】
また、上述した第１実施形態における説明では、印刷ユニット間幅調整装置１０Ａ〜１０Ｃが、表面側波打ち形成手段１２ａ及び裏面側波打ち形成手段１２ｂを備えるものとして説明したが、これに限定されず、表面側波打ち形成手段１２ａ及び裏面側波打ち形成手段１２ｂの一方のみを備える構成としても良い。また、表面側波打ち形成手段１２ａ及び裏面側波打ち形成手段１２ｂは、それぞれ、支持軸１４ａ，１４ｂ、押付け部材１６ａ，１６ｂ及び駆動手段を備え、駆動手段によって支持軸１４ａ，１４ｂを連続紙Ｗの紙面に対して接近又は離間させることで、押付け部材１６ａ，１６ｂによる押付け量を調整するものとして説明したが、これに限定されず、種々の公知の波打ち形成手段を採用することが可能である。
【００４０】
さらに、上述した第１実施形態における説明では、上流側幅調整装置２０が、表面側部分的波打ち形成手段２２ａ及び裏面側部分的波打ち形成手段２２ｂを備えるものとして説明したが、これに限定されず、表面側部分的波打ち形成手段２２ａ及び裏面側部分的波打ち形成手段２２ｂの一方のみを備える構成としても良い。
【００４１】
またさらに、上述した第１実施形態における説明では、上流側幅調整装置２０のスリーブ部材２５ａ，２５ｂが、１頁分の印刷面の幅方向の長さと略同一又はやや長い長さの軸方向の長さを有するものとして説明したが、これに限定されず、２頁分の印刷面又は３頁分の印刷面に対応可能な軸方向の長さを有するとしても良い。この場合、スリーブ部材２５ａ，２５ｂに取り付けられる押付け部材２６ａ，２６ｂは、スリーブ部材２５ａ，２５ｂの略全域、すなわち、２頁分の印刷面又は３頁分の印刷面に対応可能な領域に亘って複数設けられることとなる。また、上述した第１実施形態における説明では、上流側幅調整装置２０が、スリーブ部材２５ａ，２５ｂの移動範囲を規定するための一対のストッパー部材２７ａ，２８ａ，２７ｂ，２８ｂを備えるものとして説明したが、これに限定されず、一対のストッパー部材２７ａ，２８ａ，２７ｂ，２８ｂを設けずに、スリーブ部材２５ａ，２５ｂが連続紙Ｗの幅方向の全域Ａ〜Ｄに亘って移動可能な構成としても良い。
【００４２】
また、上述した第１実施形態における説明では、上流側幅調整装置２０の表面側部分的波打ち形成手段２２ａ及び裏面側部分的波打ち形成手段２２ｂが、支持軸２４ａ，２４ｂと、支持軸２４ａ，２４ｂに相対移動可能に取り付けられたスリーブ部材２５ａ，２５ｂと、スリーブ部材２５ａ，２５ｂに取り付けられた押付け部材２６ａ，２６ｂと、一対のストッパー部材２７ａ，２８ａ，２７ｂ，２８ｂと、支持軸２４ａ，２４ｂを連続紙Ｗの紙面に対して接近又は離間させる駆動手段（図示せず）とを備えるものとして説明したが、これに限定されるものではない。上流側幅調整装置２０は、連続紙Ｗの幅方向の一部を押圧して連続紙Ｗの一部を波状にすることで、連続紙Ｗの一部の幅を調整することが可能に構成されているものであれば、種々の構成を採用することができる。例えば、スリーブ部材２５ａ，２５ｂに複数の押付け部材２６ａ，２６ｂ取り付ける構成に代えて、ベアリングを介して支持軸２４ａ，２４ｂに各押付け部材２６ａ，２６ｂを取り付ける構成としても良いし、押付け部材２６ａ，２６ｂ毎に設けられたブラケット等の支持部材を介して、支持軸２４ａ，２４ｂに各押付け部材２６ａ，２６ｂを取り付ける構成としても良い。以下、上流側幅調整装置の好適な他の例（第２実施形態及び第３実施形態）について、例示的に説明する。
【００４３】
まず、第２実施形態に係る上流側幅調整装置２０´について、図４を用いて説明する。第２実施形態に係る上流側幅調整装置２０´は、図４に示すように、連続紙Ｗの一方の面（表面）側に配置された表面側部分的波打ち形成手段２２ａ´と、連続紙Ｗの他方の面（裏面）側に配置された裏面側部分的波打ち形成手段２２ｂ´とを備えており、これら表面側部分的波打ち形成手段２２ａ´と裏面側部分的波打ち形成手段２２ｂ´により、連続紙Ｗの幅方向の一部に局所的な波打ちを発生させるよう構成されている。
【００４４】
表面側部分的波打ち形成手段２２ａ´は、図４に示すように、連続紙Ｗの走行方向と直交かつ連続紙Ｗの紙面と平行に設けられた支持軸２４ａ´と、支持軸２４ａ´上に所定の間隔をおいて取り付けられた複数（第２実施形態では４つ）のブラケット２５ａ´と、各ブラケット２５ａ´の上端部に設けられた短軸（図示せず）と、各短軸にベアリングを介して回転可能に取り付けられた押付け部材２６ａ´とを備えている。また、裏面側部分的波打ち形成手段２２ｂ´は、同様に、連続紙Ｗの走行方向と直交かつ連続紙Ｗの紙面と平行に設けられた支持軸２４ｂ´と、支持軸２４ｂ´上に所定の間隔をおいて取り付けられた複数（第２実施形態では４つ）のブラケット２５ｂ´と、各ブラケット２５ｂ´の上端部に設けられた短軸（図示せず）と、各短軸にベアリングを介して回転可能に取り付けられた押付け部材２６ｂ´とを備えている。
【００４５】
ブラケット２５ａ´，２５ｂ´は、図４に示すように、下端部が支持軸２４ａ´，２４ｂ´に取付可能に構成され、上端部に支持軸２４ａ´，２４ｂ´と平行に延びる短軸が設けられた板状の部材である。各ブラケット２５ａ´，２５ｂ´は、支持軸２４ａ´，２４ｂ´の軸方向に沿って、その取付け位置を調整可能に構成されると共に、支持軸２４ａ´，２４ｂ´に対する取り付け角度を調整可能に構成されている。これら表面側部分的波打ち形成手段２２ａ´のブラケット２５ａ´と裏面側部分的波打ち形成手段２２ｂ´のブラケット２５ｂ´は、それぞれ、連続紙Ｗに印刷される４頁分の印刷面の領域Ａ〜Ｄうち、中央の２頁分の印刷面の領域Ｂ，Ｃにおいて、連続紙Ｗを挟んで千鳥状の配置となるよう、軸方向（連続紙Ｗの幅方向）の位置をずらして設けられている。また、このように千鳥状に配置されたブラケット２５ａ´，２５ｂ´に押付け部材２６ａ´，２６ｂ´がそれぞれ取り付けられることにより、表面側部分的波打ち形成手段２２ａ´の押付け部材２６ａ´と裏面側部分的波打ち形成手段２２ｂ´の押付け部材２６ｂ´についても、中央の２頁分の印刷面の領域Ｂ，Ｃにおいて、連続紙Ｗを挟んで千鳥状の配置となるよう配置される。
【００４６】
第２実施形態に係る上流側幅調整装置２０´の表面側部分的波打ち形成手段２２ａ´及び裏面側部分的波打ち形成手段２２ｂ´は、第１実施形態に係る上流側幅調整装置２０と同様に、駆動手段によって支持軸２４ａ´，２４ｂ´を連続紙Ｗの紙面に対して接近又は離間させることで、複数の押付け部材２６ａ´，２６ｂ´による押付け量を一斉に調整するよう構成されても良い。また、表面側部分的波打ち形成手段２２ａ´及び裏面側部分的波打ち形成手段２２ｂ´は、支持軸２４ａ´，２４ｂ´に対するブラケット２５ａ´，２５ｂ´の取り付け角度をそれぞれ手動で調整することで、押付け部材２６ａ´，２６ｂ´による押付け量を各押付け部材２６ａ´，２６ｂ´単位で調整するよう構成されても良い。
【００４７】
なお、上述した第２実施形態における説明では、押付け部材２６ａ´，２６ｂ´が連続紙Ｗの中央の２頁分の印刷面の領域Ｂ，Ｃにのみ配置される構成、すなわち、押付け部材２６ａ´，２６ｂ´によって連続紙Ｗの中央の２頁分の印刷面の領域Ｂ，Ｃを押圧する構成を例に挙げて説明したが、これに限定されるものではない。押付け部材２６ａ´，２６ｂ´によって押圧する連続紙Ｗの領域は、支持軸２４ａ´，２４ｂ´の軸方向におけるブラケット２５ａ´，２５ｂ´の位置及びその数を調整することにより、適宜変更することが可能である。
【００４８】
次に、第３実施形態に係る上流側幅調整装置２０´´について、図５を用いて説明する。第３実施形態に係る上流側幅調整装置２０´´は、第２実施形態に係る上流側幅調整装置２０´と同様に、表面側部分的波打ち形成手段２２ａ´´と裏面側部分的波打ち形成手段２２ｂ´´とを備えており、これら表面側部分的波打ち形成手段２２ａ´´及び裏面側部分的波打ち形成手段２２ｂ´´が支持軸２４ａ´´，２４ｂ´´と、ブラケット２５ａ´´，２５ｂ´´と、短軸（図示せず）と、押付け部材２６ａ´´，２６ｂ´´とを備えている。
【００４９】
第３実施形態に係る上流側幅調整装置２０´´は、第２実施形態に係る上流側幅調整装置２０´と異なり、短軸が、ブラケット２５ａ´´，２５ｂ´´に回転可能に支持されている。この短軸は、ブラケット２５ａ´´，２５ｂ´´に回転可能に支持される第１軸と、押付け部材２６ａ´´，２６ｂ´´が回転可能に取り付けられる第２軸とからなり、これら第１軸と第２軸とが互いに中心軸をずらして一体的に結合された偏心構造を有している。また、第３実施形態に係る上流側幅調整装置２０´´は、第２実施形態に係る上流側幅調整装置２０´と異なり、短軸を回転させるための駆動手段２７ａ，２７ｂがブラケット２５ａ´´，２５ｂ´´に設けられている。駆動手段２７ａ，２７ｂは、油圧式シリンダーや駆動モーター等の種々の公知の構成を採用することができる。
【００５０】
第３実施形態に係る上流側幅調整装置２０´´の表面側部分的波打ち形成手段２２ａ´´及び裏面側部分的波打ち形成手段２２ｂ´´は、第１実施形態に係る上流側幅調整装置２０と同様に、駆動手段によって支持軸２４ａ´´，２４ｂ´´を連続紙Ｗの紙面に対して接近又は離間させることで、複数の押付け部材２６ａ´´，２６ｂ´´による押付け量を一斉に調整するよう構成されても良い。また、表面側部分的波打ち形成手段２２ａ´´及び裏面側部分的波打ち形成手段２２ｂ´´は、支持軸２４ａ´´，２４ｂ´´に対するブラケット２５ａ´´，２５ｂ´´の取り付け角度をそれぞれ手動で調整すること、又は、駆動手段２７ａ，２７ｂによって短軸を回転させ、押付け部材２６ａ´´，２６ｂ´´を連続紙Ｗの紙面に対して接近又は離間させることで、押付け部材２６ａ´，２６ｂ´による押付け量を各押付け部材２６ａ´，２６ｂ´単位で調整するよう構成されても良い。
【００５１】
以上の構成を備える第２及び第３実施形態に係る上流側幅調整装置２０´，２０´´は、第１実施形態に係る上流側幅調整装置２０と同様に、連続紙Ｗの幅方向の一部を押圧して連続紙Ｗの一部を波状にすることで、連続紙Ｗの一部の幅を調整することが可能である。このため、第２及び第３実施形態に係る上流側幅調整装置２０´，２０´´を備えるタワー型印刷装置及びオフセット輪転印刷機によっても、上述した第１実施形態に係るタワー型印刷装置１及びオフセット輪転印刷機と同様の作用効果を奏することが可能である。
【符号の説明】
【００５２】
１  タワー型印刷装置、２  インキ供給装置、４  湿し水供給装置、６  版胴、８  ブランケット胴、１０Ａ〜１０Ｃ  印刷ユニット間幅調整装置、１２ａ  表面側波打ち形成手段、１２ｂ  裏面側波打ち形成手段、１４ａ，１４ｂ  支持軸、１６ａ，１６ｂ  押付け部材、２０，２０´，２０´´  上流側幅調整装置、２２ａ，２２ａ´，２２ａ´´  表面側部分的波打ち形成手段、２２ｂ，２２ｂ´，２２ｂ´´  裏面側部分的波打ち形成手段、２４ａ，２４ｂ，２４ａ´，２４ｂ´，２４ａ´´，２４ｂ´´  支持軸、２５ａ，２５ｂ  スリーブ部材、２５ａ´，２５ｂ´，２５ａ´´，２５ｂ´´  ブラケット、２６ａ，２６ｂ，２６ａ´，２６ｂ´，２６ａ´´，２６ｂ´´  押付け部材、２７ａ，２７ｂ  駆動手段、２７ａ，２７ｂ，２８ａ，２８ｂ  ストッパー部材、Ｆ  フレーム，Ｐ１〜Ｐ４  印刷ユニット，Ｗ  連続紙
【図１】
2016203506.tif 000003
【図２】
2016203506.tif 000004
【図３】
2016203506.tif 000005
【図４】
2016203506.tif 000006
【図５】
2016203506.tif 000007
【図６】
2016203506.tif 000008
【図７】
2016203506.tif 000009